(57)【要約】【課題】時刻修正時の操作が簡単に行える電子時計を提供する。【解決手段】本発明の電子時計は、時刻を計時する計時手段（計時回路２０）と、入力を受け付ける入力手段（キースイッチＳ１）と、入力手段が入力を受け付けている時間を計測する計測手段（制御部７０）と、計測手段の計測結果に基づいて自装置に設定されている時差データを変更するか否かを決定する制御手段（制御部７０）と、時差データに基づいて計時手段が計時する時刻を修正する時刻修正手段（制御部７０）と、を備える。【選択図】図２
2019007894.tif 000002
【特許請求の範囲】
【請求項１】
時刻を計時する計時手段と、
入力を受け付ける入力手段と、
前記入力手段が入力を受け付けている時間を計測する計測手段と、
前記計測手段の計測結果に基づいて自装置に設定されている時差データを変更するか否かを決定する制御手段と、
前記時差データに基づいて前記計時手段が計時する時刻を修正する時刻修正手段と、を備えることを特徴とする電子時計。
【請求項２】
前記時刻修正手段は、前記計時手段が計時する時刻を異なる処理手順を用いて修正する複数の時刻修正モードを備え、
前記計測手段の計測結果を複数の閾値と比較し、該比較結果に基づいて、前記複数の時刻修正モードの中から適用する時刻修正モードを選択することを特徴とする請求項１に記載の電子時計。
【請求項３】
前記複数の時刻修正モードは、少なくとも第１時刻修正モード及び第２時刻修正モードを含み、
前記時刻修正手段は、
前記第１時刻修正モードのとき、前記電子時計に設定されている前記時差データを変更することなく、外部から取得した時刻修正用データに基づいて、前記計時手段が計時する時刻を修正し、
前記第２時刻修正モードのとき、外部から取得した時刻修正用データに基づいて、前記電子時計に設定されている前記時差データを変更するとともに、前記計時手段が計時する時刻を修正することを特徴とする請求項２に記載の電子時計。
【請求項４】
前記電子時計に設定されている前記時差データには、
標準時を基準とする時差情報と、
所定の日付期間に適用されるサマータイム情報と、が含まれることを特徴とする請求項３に記載の電子時計。
【請求項５】
前記時刻修正用データは、ＧＰＳ衛星が送信するＧＰＳ信号であり、
前記時刻修正手段は、
前記第１時刻修正モードのとき、前記電子時計に設定されている前記時差データを変更することなく、前記ＧＰＳ衛星から受信したＧＰＳ信号に含まれる時刻データに基づいて、前記計時手段が計時する時刻を修正し、
前記第２時刻修正モードのとき、前記ＧＰＳ衛星から受信したＧＰＳ信号に含まれる位置データに基づいて、前記電子時計に設定されている前記時差データを変更するとともに、前記ＧＰＳ衛星から受信したＧＰＳ信号に含まれる時刻データに基づいて、前記計時手段が計時する時刻を修正することを特徴とする請求項３又は請求項４に記載の電子時計。
【請求項６】
前記時刻修正用データは、携帯端末が保有する時刻データ及び時差データであり、
前記時刻修正手段は、
前記第１時刻修正モードのとき、前記電子時計に設定されている前記時差データを変更することなく、前記携帯端末から取得した時刻データ及び時差データに基づいて、前記計時手段が計時する時刻を修正し、
前記第２時刻修正モードのとき、前記携帯端末から取得した時差データに基づいて、前記電子時計に設定されている前記時差データを変更するとともに、前記携帯端末から取得した時刻データに基づいて、前記計時手段が計時する時刻を修正することを特徴とする請求項３から請求項５のいずれか１項に記載の電子時計。
【請求項７】
前記時刻修正手段は、まず、前記携帯端末から時刻データ及び時差データの取得を試み、該取得に失敗した場合に前記ＧＰＳ衛星からＧＰＳ信号を受信することを特徴とする請求項６に記載の電子時計。
【請求項８】
電子時計における時刻修正方法であって、
時刻を計時する計時工程と、
入力を受け付ける入力工程と、
前記入力手段が入力を受け付けている時間を計測する計測工程と、
前記計測手段の計測結果に基づいて自装置に設定されている時差データを変更するか否かを決定する制御工程と、
前記時差データに基づいて前記計時手段が計時する時刻を修正する時刻修正工程と、を含む時刻修正方法。
【請求項９】
時刻を計時する計時手段と、入力を受け付ける入力手段と、前記入力手段が入力を受け付けている時間を計測する計測手段とを備えたコンピュータを、
前記計測手段の計測結果に基づいて自装置に設定されている時差データを変更するか否かを決定する制御手段、
前記時差データに基づいて前記計時手段が計時する時刻を修正する時刻修正手段、として機能させるためのプログラム。
【発明の詳細な説明】
【技術分野】
【０００１】
本発明は、電子時計、時刻修正方法及びプログラムに関する。
【背景技術】
【０００２】
内部時計（計時手段）が計時する時刻を受信電波（ＧＰＳ信号等）に基づいて修正する電子時計（時計、カメラ等）が知られている。
【０００３】
例えば、特許文献１には、電源スイッチがオン状態に操作されると、内部時計の計時値と不揮発性メモリ内の日時情報とを比較し、前者の計時値の方が最近値である場合には、その計時値を不揮発性メモリに書き込み、後者の日時情報の方が最近値である場合には、受信電波による日時修正自動処理へと移行する電子時計（カメラ）が開示されている。
【０００４】
このような電子時計によれば、電池交換によって内部時計が計時している時刻が初期化されても、その後の電源オン操作に際し、内部時計が計時する時刻を受信電波に基づいて自動的に修正することができる。
【先行技術文献】
【特許文献】
【０００５】
【特許文献１】特開２００１−２２８２７２号公報
【発明の概要】
【発明が解決しようとする課題】
【０００６】
ところで、内部時計が計時する時刻を修正する時刻修正モードとしては、様々なものが考えられる。
例えば、一例としては、電子時計に設定されている時差データを変更することなく、受信電波に基づいて、内部時計が計時する時刻を修正する第１時刻修正モードや、受信電波に基づいて、電子時計に設定されている時差データを変更するとともに、内部時計が計時する時刻を修正する第２時刻修正モード等が考えられる。
【０００７】
なお、電子時計に設定されている時差データには、標準時を基準とする時差情報や、所定の日付期間に適用されるサマータイム情報等が含まれる。
【０００８】
上記のような時刻修正モードは、例えば、海外出張や海外旅行に際し、本国時間を表示したいのか、現地時間を表示したいのか、に基づいて選択されることになるが、その時刻修正モードの切換操作は煩雑でなく、簡単な操作で行えることが好ましい。
【０００９】
本発明は、このような事情に鑑みなされたものであり、時刻修正時に、時差データを変更して時刻修正を行うかどうかを決定する操作が簡単に行える電子時計、時刻修正方法及びプログラムを提供することを目的とする。
【課題を解決するための手段】
【００１０】
上記目的を達成するために、本発明は、以下の構成により把握される。
本発明の電子時計は、時刻を計時する計時手段と、入力を受け付ける入力手段と、前記入力手段が入力を受け付けている時間を計測する計測手段と、前記計測手段の計測結果に基づいて自装置に設定されている時差データを変更するか否かを決定する制御手段と、前記時差データに基づいて前記計時手段が計時する時刻を修正する時刻修正手段と、を備える。
【発明の効果】
【００１１】
本発明によれば、時刻修正時に、時差データを変更して時刻修正を行うかどうかを決定する操作が簡単に行える電子時計、時刻修正方法及びプログラムを提供することができる。
【図面の簡単な説明】
【００１２】
【図１】本発明の一実施形態に係る電子時計の正面図である。
【図２】本発明の一実施形態に係る電子時計のブロック図である。
【図３】本発明の一実施形態に係る電子時計のキー処理を示すフロー図である。
【図４】本発明の一実施形態に係る電子時計の時刻修正処理１（第１時刻修正モード）を示すフロー図である。
【図５】本発明の一実施形態に係る電子時計の時刻修正処理２（第２時刻修正モード）を示すフロー図である。
【図６】本発明の一実施形態に係る電子時計のＢＬＥ時刻修正処理１を示すフロー図である。
【図７】本発明の一実施形態に係る電子時計のＢＬＥ時刻修正処理２を示すフロー図である。
【図８】本発明の一実施形態に係る電子時計のＧＰＳ時刻修正処理１を示すフロー図である。
【図９】本発明の一実施形態に係る電子時計のＧＰＳ時刻修正処理２を示すフロー図である。
【図１０】本発明の一実施形態に係る電子時計の自動時刻修正処理を示すフロー図である。
【発明を実施するための形態】
【００１３】
以下、添付図面を参照して、本発明の一実施形態に係る電子時計１を説明する。
なお、以下の実施形態では、具体的に電子時計１が時計そのものである態様として説明するが、本発明の電子時計１は、電子機器等に設けられる時計等であってもよく、時計そのものに限定されるものではない。
図１は本発明の一実施形態に係る電子時計１の正面図であり、図２は本発明の一実施形態に係る電子時計１のブロック図である。
【００１４】
図１及び図２に示すように、本実施形態に係る電子時計１は、腕時計であり、時刻を計時する計時手段として機能する計時回路２０と、ＧＰＳ衛星２から送信されるＧＰＳ電波を受信するＧＰＳ受信部３０と、スマートフォン３等の携帯端末と通信する近距離無線通信部４０と、日付及び時刻を表示する日付時刻表示部５０と、音を出力する音出力部６０と、ユーザの入力操作を受け付ける入力手段として機能する複数のキースイッチＳ１〜Ｓ４と、電子時計１全体を制御する制御部７０と、これらを接続するバス８０と、を備える。
【００１５】
計時回路２０は、例えば、時刻を１／２５６秒単位で計時し、計時結果である秒、分、時、日を出力する。
【００１６】
ＧＰＳ受信部３０は、複数機のＧＰＳ衛星２からＧＰＳ電波を受信するＧＰＳモジュール３１と、該ＧＰＳモジュール３１とバス８０との間でシリアル信号とパラレル信号の変換を行うＵＡＲＴ３２と、を備える。
【００１７】
ＧＰＳ電波には、標準時（例えば、協定世界時ＵＴＣ）を示す時刻データや、各ＧＰＳ衛星２の位置を示す位置データが含まれる。
【００１８】
ＧＰＳモジュール３１は、ＧＰＳ電波の到達時間に基づいてＧＰＳ衛星２と電子時計１との距離を計測可能であり、３機以上のＧＰＳ衛星２からＧＰＳ電波を受信することで、電子時計１の地球上における位置（緯度及び経度）を特定できる。
【００１９】
近距離無線通信部４０は、近距離無線通信規格であるブルートゥース（登録商標）で、例えば、スマートフォン３と通信するブルートゥースモジュール４１と、該ブルートゥースモジュール４１とバス８０との間でシリアル信号とパラレル信号の変換を行うＵＡＲＴ４２と、を備える。
【００２０】
本実施形態のブルートゥースモジュール４１は、従来のブルートゥース（クラッシック）に比べて省電力で通信が可能なＢＬＥ（Ｂｌｕｅｔｏｏｔｈ  Ｌｏｗ  Ｅｎｅｒｇｙ）に対応しており、以下、スマートフォン３との通信を適宜ＢＬＥという。
【００２１】
スマートフォン３は、電子時計１と同等の計時回路を有するとともに、標準時（ＵＴＣ）を基準とする時差情報（以下、適宜時差という。）や、所定の日付期間に適用されるサマータイム情報（以下、適宜ＤＳＴという。）を含む時差データが設定される。
【００２２】
また、スマートフォン３は、インターネット経由で時報サーバから時刻修正用データを取得したり、ＧＰＳ衛星２からＧＰＳ電波を受信する機能を有し、通常は、インターネット経由で取得した時刻修正用データや、ＧＰＳ衛星２から受信したＧＰＳ電波に基づいて、計時回路２０が計時する時刻を自動的に修正している。
【００２３】
日付時刻表示部５０は、秒を表示する秒針５１と、分を表示する分針５２と、時を表示する時針５３と、日を表示する日車５４と、秒針５１、分針５２、時針５３及び日車５４に連結される輪列５５と、輪列５５を介して秒針５１、分針５２、時針５３及び日車５４を動作させるモータ５６と、モータ５６を駆動させるドライバ５７と、を備える。
【００２４】
本実施形態の日付時刻表示部５０は、計時回路２０が計時した日付時刻を表示するだけでなく、制御部７０が行う処理が成功したか否かを表示する処理結果表示部としても機能する。
【００２５】
例えば、秒針５１で指し示すことが可能な位置に、処理の成功を示す文字「Ｙ」と、処理の失敗を意味する文字「Ｎ」と、を設け、秒針５１の動作制御でいずれかの文字を指し示すことにより、制御部７０の処理結果を表示できる。
【００２６】
音出力部６０は、音発生デバイスであるピエゾ６１と、ピエゾ６１を駆動させるドライバ６２と、を備える。
音出力部６０は、例えば、アラーム音を出力する際に動作される。
【００２７】
キースイッチＳ１〜Ｓ４は、電子時計１の各種機能を使用したり、各種の設定を行う際に操作される。
例えば、本実施形態では、後述する受信結果表示、時刻修正処理１、時刻修正処理２、自動時刻修正のモード切換等を行うための操作具としてキースイッチＳ１を使用する。
【００２８】
制御部７０は、制御手段として機能し、ＣＰＵ７１と、読み取り専用の不揮発性メモリであるＲＯＭ７２と、読み書きが可能な揮発性メモリであるＲＡＭ７３と、読み書きが可能な不揮発性メモリであるフラッシュメモリ等の記憶部７４と、を備える。
【００２９】
ＲＯＭ７２には、電子時計１の全般的な制御を行うための制御プログラムだけでなく、位置情報と時差データ（時差情報及びサマータイム情報）を関連付けるテーブルデータ等が記憶され、ＲＡＭ７３には、ＣＰＵ７１が制御プログラムに従って制御を行う過程で生成するデータ等が記憶され、記憶部７４には、各種設定データ等が記憶される。
【００３０】
例えば、標準時（ＵＴＣ）を基準とする時差情報（タイムゾーン）や、所定の日付期間に適用されるサマータイム情報（ＤＳＴ）を含む時差データが記憶部７４に記憶される。
【００３１】
制御部７０は、ＣＰＵ７１がＲＯＭ７２に記憶された制御プログラムに従って動作することにより、計時回路２０と協業することで計測手段として機能する。
また、制御部７０は、ＣＰＵ７１がＲＯＭ７２に記憶された制御プログラムに従って動作することにより、時刻修正手段として機能する。
詳細については後述するが、計測手段は、キースイッチＳ１の操作時間を計測し、時刻修正手段は、計測手段の計測結果に応じて、計時回路２０が計時する時刻を修正する。
【００３２】
このような計測手段、制御手段及び時刻修正手段によれば、キースイッチＳ１を所定時間操作するだけで、計時回路２０が計時する時刻を修正できるので、複数のキースイッチ操作を要求する場合に比べ、時刻修正時の操作を簡略化できる。
【００３３】
本実施形態の時刻修正手段は、計時回路２０が計時する時刻を異なる処理手順を用いて修正する時刻修正処理１と時刻修正処理２とを備え、計測手段の計測結果を複数の閾値（例えば、１．５秒と３．０秒）と比較し、該比較結果に基づいて、時刻修正処理１、２のいずれかを選択する。
このような時刻修正手段によれば、キースイッチＳ１の操作時間に基づいて、いずれかの時刻修正処理１、２を選択し、計時回路２０が計時する時刻を修正できる。
【００３４】
本実施形態の時刻修正手段は、時刻修正処理１の場合、電子時計１の記憶部７４に記憶されている時差データ（時差情報及びサマータイム情報）を変更することなく、外部（ＧＰＳ衛星２又はスマートフォン３）から取得した時刻修正用データに基づいて、計時回路２０が計時する時刻を修正する。
【００３５】
一方、時刻修正処理２の場合、外部から取得した時刻修正用データに基づいて、電子時計１の記憶部７４に記憶されている時差データを変更するとともに、計時回路２０が計時する時刻を修正する。
【００３６】
このような時刻修正手段によれば、海外出張や海外旅行に際し、本国時間を表示したいのか、現地時間を表示したいのか、に基づいて、時刻修正処理１と時刻修正処理２とを選択的に実行することができる。
【００３７】
時刻修正用データには、ＧＰＳ衛星２が送信するＧＰＳ電波が含まれる。
時刻修正手段は、時刻修正処理１の場合、電子時計１に設定されている時差データを変更することなく、ＧＰＳ衛星２から受信したＧＰＳ電波に含まれる時刻データに基づいて、計時回路２０が計時する時刻を修正する。
【００３８】
一方、時刻修正処理２の場合、ＧＰＳ衛星２から受信したＧＰＳ電波に含まれる位置データに基づいて、電子時計１に設定されている時差データを変更するとともに、ＧＰＳ衛星２から受信したＧＰＳ電波に含まれる時刻データに基づいて、計時回路２０が計時する時刻を修正する。
【００３９】
このような時刻修正手段によれば、ＧＰＳ電波を利用して、計時回路２０が計時する時刻の修正や、電子時計１に設定されている時差データの変更を行うことができる。
【００４０】
なお、ＧＰＳ電波に基づく時差データの変更は、３機以上のＧＰＳ衛星２からＧＰＳ電波を受信し、各ＧＰＳ電波の到達時間に基づいて３機以上のＧＰＳ衛星２と電子時計１との距離を計測するステップと、該計測距離に基づいて電子時計１の地球上における位置（緯度及び経度）を特定するステップと、特定した位置に対応する時差データを前述したテーブルデータを参照して抽出するステップと、を経て実行される。
【００４１】
また、時刻修正用データには、スマートフォン３が保有する時刻データ及び時差データが含まれる。
【００４２】
時刻修正手段は、時刻修正処理１の場合、電子時計１に設定されている時差データを変更することなく、スマートフォン３から取得した時刻データ及び時差データに基づいて、計時回路２０が計時する時刻を修正する。
【００４３】
一方、時刻修正処理２の場合、スマートフォン３から取得した時差データに基づいて、電子時計１に設定されている時差データを変更するとともに、スマートフォン３から取得した時刻データに基づいて、計時回路２０が計時する時刻を修正する。
【００４４】
このような時刻修正手段によれば、スマートフォン３が保有する時刻データ及び時差データを利用して、計時回路２０が計時する時刻の修正や、電子時計１に設定されている時差データの変更を行うことができる。
【００４５】
本実施形態の時刻修正手段は、ＧＰＳ電波や、スマートフォン３が保有する時刻データ及び時差データを利用して、計時回路２０が計時する時刻の修正や、電子時計１に設定されている時差データの変更を行うにあたり、まず、スマートフォン３から時刻データ及び時差データの取得を試み、該取得に失敗した場合にＧＰＳ衛星２からＧＰＳ電波を受信する。
【００４６】
このような時刻修正手段によれば、ＧＰＳ電波の受信に比べて省電力なＢＬＥを優先するので、電子時計１の消費電力を抑えることができる。
【００４７】
次に、上記のような時刻修正手段を実現する制御部７０の具体的な処理手順について、図３から図１０を参照して説明する。
図３は本発明の一実施形態に係る電子時計１のキー処理を示すフロー図である。
【００４８】
図４は本発明の一実施形態に係る電子時計１の時刻修正処理１（第１時刻修正モード）を示すフロー図であり、図５は本発明の一実施形態に係る電子時計１の時刻修正処理２（第２時刻修正モード）を示すフロー図である。
【００４９】
図６は本発明の一実施形態に係る電子時計１のＢＬＥ時刻修正処理１を示すフロー図であり、図７は本発明の一実施形態に係る電子時計１のＢＬＥ時刻修正処理２を示すフロー図である。
【００５０】
図８は本発明の一実施形態に係る電子時計１のＧＰＳ時刻修正処理１を示すフロー図であり、図９は本発明の一実施形態に係る電子時計１のＧＰＳ時刻修正処理２を示すフロー図である。
【００５１】
図１０は本発明の一実施形態に係る電子時計１の自動時刻修正処理を示すフロー図である。
【００５２】
図３に示すように、制御部７０は、受信結果表示、時刻修正処理１、時刻修正処理２及び自動時刻修正のモード切換を含むキー処理を実行する。
キー処理がスタートすると、制御部７０は、まず、キースイッチＳ１のＯＮ／ＯＦＦを判断し（ステップＳ１１）、該判断結果がＯＦＦの場合は、他のキー処理を実行し（ステップＳ１２）、ステップＳ１１に戻る。
【００５３】
一方、ステップＳ１１の判断結果がＯＮである場合、制御部７０は、キースイッチＳ１のＯＮ／ＯＦＦを再度判断するとともに（ステップＳ１３）、キースイッチＳ１のＯＮから１．５秒経過したか否かを判断する（ステップＳ１４）。
【００５４】
ここで、キースイッチＳ１のＯＮから１．５秒経過する前にキースイッチＳ１がＯＦＦになった場合、制御部７０は、受信結果表示を実行し（ステップＳ１５）、ステップＳ１１に戻る。
【００５５】
受信結果表示は、直近の時刻修正処理が成功したか否かを表示する処理であり、例えば、秒針５１で文字「Ｙ」を指し示すことで「成功」を表示し、秒針５１で文字「Ｎ」を指し示すことで「失敗」を表示する。
【００５６】
一方、キースイッチＳ１のＯＮから１．５秒経過した場合、制御部７０は、キースイッチＳ１のＯＮ／ＯＦＦを再度判断するとともに（ステップＳ１６）、キースイッチＳ１のＯＮから３．０秒経過したか否かを判断する（ステップＳ１７）。
【００５７】
ここで、キースイッチＳ１のＯＮから３．０秒経過する前にキースイッチＳ１がＯＦＦになった場合、制御部７０は、後述する時刻修正処理１を実行し（ステップＳ１８）、ステップＳ１１に戻る。
【００５８】
一方、キースイッチＳ１のＯＮから３．０秒経過した場合、制御部７０は、キースイッチＳ１のＯＮ／ＯＦＦを再度判断するとともに（ステップＳ１９）、キースイッチＳ１のＯＮから４．５秒経過したか否かを判断する（ステップＳ２０）。
【００５９】
ここで、キースイッチＳ１のＯＮから４．５秒経過する前にキースイッチＳ１がＯＦＦになった場合、制御部７０は、後述する時刻修正処理２を実行し（ステップＳ２１）、ステップＳ１１に戻る。
【００６０】
一方、キースイッチＳ１のＯＮから４．５秒経過した場合、制御部７０は、後述する自動時刻修正のモードが自動（時差データ自動変更モード）であるか否かを判断し（ステップＳ２２）、この判断結果がＹＥＳの場合は、自動時刻修正のモードを自動から固定（時差データ固定モード）に切り換え（ステップＳ２３）、判断結果がＮＯの場合は、自動時刻修正のモードを固定から自動に切り換える（ステップＳ２４）。
【００６１】
その後、制御部７０は、キースイッチＳ１のＯＮ／ＯＦＦを再度判断するとともに（ステップＳ２５）、キースイッチＳ１がＯＦＦになったらステップＳ１１に戻る。
【００６２】
次に、図３のフローにおける各処理について順に説明を行う。
図３のステップＳ１８に進むと、図４に示す時刻修正処理１がスタートする。
この場合、制御部７０は、まず、電子時計１とスマートフォン３とのＢＬＥによるペアリングが完了しているか否かを判断し（ステップＳ３１）、この判断結果がＹＥＳの場合は、後述するＢＬＥ時刻修正処理１を優先的に実行するが（ステップＳ３２）、判断結果がＮＯの場合は、後述するＧＰＳ時刻修正処理１を実行する（ステップＳ３３）。
【００６３】
また、制御部７０は、ＢＬＥ時刻修正処理１を実行した後、受信結果（時刻修正結果）を判断し（ステップＳ３４）、該判断結果が成功の場合は、時刻修正処理１を終了するが、判断結果が失敗の場合は、ＧＰＳ時刻修正処理１を実行する（ステップＳ３３）。
【００６４】
一方、図３のステップＳ２１に進むと、図５に示す時刻修正処理２がスタートする。
この場合、制御部７０は、まず、電子時計１とスマートフォン３とのＢＬＥによるペアリングが完了しているか否かを判断し（ステップＳ４１）、この判断結果がＹＥＳの場合は、後述するＢＬＥ時刻修正処理２を優先的に実行するが（ステップＳ４２）、判断結果がＮＯの場合は、後述するＧＰＳ時刻修正処理２を実行する（ステップＳ４３）。
【００６５】
また、制御部７０は、ＢＬＥ時刻修正処理２を実行した後、受信結果（時刻修正結果）を判断し（ステップＳ４４）、該判断結果が成功の場合は、時刻修正処理１を終了するが、判断結果が失敗の場合は、ＧＰＳ時刻修正処理２を実行する（ステップＳ４３）。
【００６６】
次に、図４及び図５における各処理について順に説明を行う。
なお、図４と図５の違いは、図４のステップＳ３２がＢＬＥ時刻修正処理１を実行することになるのに対して図５のステップＳ４２がＢＬＥ時刻修正処理２を実行することになる点と、図４のステップＳ３３がＧＰＳ時刻修正処理１を実行することになるのに対して図５のステップＳ４３がＧＰＳ時刻修正処理２を実行することになる点であり、内容の違いがわかりやすいように、ＢＬＥ時刻修正処理１、ＢＬＥ時刻修正処理２、ＧＰＳ時刻修正処理１、ＧＰＳ時刻修正処理２の順で説明する。
【００６７】
図４のステップＳ３２に進んだ場合、図６に示すＢＬＥ時刻修正処理１がスタートする。
この場合、制御部７０は、まず、スマートフォン３との接続手続きを実行した後（ステップＳ５１）、スマートフォン３に時差及びＤＳＴの送信を要求するとともに、スマートフォン３から送信された時差及びＤＳＴを受信する（ステップＳ５２）。
【００６８】
続いて、制御部７０は、スマートフォン３に日付時刻及び１／２５６秒の送信を要求するとともに、スマートフォン３から送信された日付時刻及び１／２５６秒を受信する（ステップＳ５３）。
なお、スマートフォン３が１／２５６秒に対応していない場合には、例えば、スマートフォン３が送信する時刻（例えば、秒）をもとに、秒間から制御部７０が１／２５６秒を求める処理を行う（以降においても同様である）。
【００６９】
次に、制御部７０は、スマートフォン３からの時刻修正処理に必要なデータの受信に成功したか否かを判断し（ステップＳ５４）、この判断結果がＹＥＳの場合は、スマートフォン３から受信した１／２５６秒に基づいて、計時回路２０が計時する時刻の１／２５６秒を修正するとともに、スマートフォン３から受信した日付時刻、時差及びＤＳＴと、電子時計１に設定されている時差及びＤＳＴに基づいて、計時回路２０が計時する日付時刻（秒、分、時、日）を修正する（ステップＳ５５）。
【００７０】
つまり、ＢＬＥ時刻修正処理１では、電子時計１に設定されている時差及びＤＳＴを変更することなく、スマートフォン３から受信した日付時刻、時差及びＤＳＴに基づいて、計時回路２０が計時する時刻を修正するため、スマートフォン３から受信した日付時刻から、スマートフォン３から受信した時差及びＤＳＴを減算して標準時（ＵＴＣ）を求め、ここに電子時計１に設定されている時差及びＤＳＴを加算して求められる日付時刻に基づいて、計時回路２０が計時する時刻を修正する。
【００７１】
そして、ステップＳ５５の時刻修正処理を実行したら、スマートフォン３との切断手続きを実行し（ステップＳ５６）、ＢＬＥ時刻修正処理１を終了する。
【００７２】
また、ステップＳ５４の判断結果がＮＯの場合は、ステップＳ５５の時刻修正処理を行うことなく、スマートフォン３との切断手続きを実行し（ステップＳ５６）、ＢＬＥ時刻修正処理１を終了する。
なお、ステップＳ５４の判定結果は記録されており、図４のステップＳ３４の判定にも用いられる。
また、ステップＳ５４の判断結果がＹＥＳであった場合には、図３のステップＳ１５に進んだときに図１の「Ｙ」を表示するための記録も行われる。
【００７３】
一方、図５のステップＳ４２に進んだ場合、図７に示すＢＬＥ時刻修正処理２がスタートする。
この場合、制御部７０は、まず、スマートフォン３との接続手続きを実行した後（ステップＳ６１）、スマートフォン３に時差及びＤＳＴの送信を要求するとともに、スマートフォン３から送信された時差及びＤＳＴを受信する（ステップＳ６２）。
【００７４】
続いて、制御部７０は、スマートフォン３に日付時刻及び１／２５６秒の送信を要求するとともに、スマートフォン３から送信された日付時刻及び１／２５６秒を受信する（ステップＳ６３）。
【００７５】
次に、制御部７０は、スマートフォン３からの時刻修正処理に必要なデータの受信に成功したか否かを判断し（ステップＳ６４）、この判断結果がＹＥＳの場合は、スマートフォン３から受信した１／２５６秒に基づいて、計時回路２０が計時する時刻の１／２５６秒を修正するとともに、スマートフォン３から受信した日付時刻に基づいて、計時回路２０が計時する日付時刻（秒、分、時、日）を修正し、さらに、スマートフォン３から受信した時差及びＤＳＴに基づいて、電子時計１に設定されている時差及びＤＳＴを変更する（ステップＳ６５）。
【００７６】
そして、ステップＳ６５の時刻修正処理を実行したら、スマートフォン３との切断手続きを実行し（ステップＳ６６）、ＢＬＥ時刻修正処理２を終了する。
【００７７】
また、ステップＳ６４の判断結果がＮＯの場合は、ステップＳ６５の時刻修正処理を行うことなく、スマートフォン３との切断手続きを実行し（ステップＳ６６）、ＢＬＥ時刻修正処理２を終了する。
なお、ステップＳ６４の判定結果は記録されており、図５のステップＳ４４の判定にも用いられる。
また、ステップＳ６４の判断結果がＹＥＳであった場合には、図３のステップＳ１５に進んだときに図１の「Ｙ」を表示するための記録も行われる。
【００７８】
図４のステップＳ３３に進んだ場合、図８に示すＧＰＳ時刻修正処理１がスタートする。
この場合、制御部７０は、まず、ＧＰＳ衛星２の補足数（ＧＰＳ電波を受信可能なＧＰＳ衛星数）を判断し（ステップＳ７１）、該補足数が０機である場合は、ＧＰＳ時刻修正処理１を終了する。
なお、この場合には、図３のステップＳ１５に進んだときに、図１の「Ｎ」を表示するための記録が行われる。
【００７９】
一方、ＧＰＳ衛星２の補足数が１機以上である場合、制御部７０は、ＧＰＳ電波から時刻修正用データを取得するとともに、該取得データに基づいて日付時刻及び１／２５６秒を生成した後（ステップＳ７２）、計時回路２０が計時する時刻の１／２５６秒や日付時刻（秒、分、時、日）を修正し（ステップＳ７３）、ＧＰＳ時刻修正処理１を終了する。
【００８０】
なお、ＧＰＳ衛星２の場合、時刻修正用データは１／２５６秒に対応していないため、先に、スマートフォン３の場合で触れたように、制御部７０が該取得データに基づいて１／２５６秒を求める処理を行って１／２５６秒を生成することになる。
【００８１】
また、ステップＳ７３の処理が実行されると、図３のステップＳ１５に進んだときに、図１の「Ｙ」を表示するための記録も行われる。
【００８２】
図５のステップＳ４３に進んだ場合、図９に示すＧＰＳ時刻修正処理２がスタートする。
この場合、制御部７０は、まず、ＧＰＳ衛星２の補足数（ＧＰＳ電波を受信可能なＧＰＳ衛星数）を判断し（ステップＳ８１）、該補足数が０機から２機（つまり、２機以下）である場合には、ＧＰＳ時刻修正処理２を終了する。
これは、電子時計１の地球上での位置を正しく求めることができないため、時差及びＤＳＴを含む時刻修正ができないためである。
なお、この場合には、図３のステップＳ１５に進んだときに、図１の「Ｎ」を表示するための記録が行われる。
【００８３】
一方、ＧＰＳ衛星２の補足数が３機以上である場合は、ＧＰＳ電波に含まれる時刻データや位置データに基づいて、日付時刻、１／２５６秒、時差及びＤＳＴを特定し（ステップＳ８２）、該特定した１／２５６秒及び日付時刻に基づいて、計時回路２０が計時する１／２５６秒及び日付時刻を修正するとともに、特定した時差及びＤＳＴに基づいて、電子時計１に設定されている時差及びＤＳＴを変更する（ステップＳ８３）。
そして、ステップＳ８３が実行されると、図３のステップＳ１５に進んだときに、図１の「Ｙ」を表示するための記録が行われる。
【００８４】
なお、ＧＰＳ電波に含まれる位置データに基づいた時差及びＤＳＴの特定は、前述したように、３機以上のＧＰＳ衛星２から受信したＧＰＳ電波の到達時間に基づいて各ＧＰＳ衛星２と電子時計１との距離を計測し、該計測距離に基づいて電子時計１の地球上における位置を特定した後、特定した位置に対応する時差及びＤＳＴをテーブルデータを参照して抽出することにより行われる。
【００８５】
図３から図９を参照して説明した処理は、キースイッチＳ１をユーザが操作して時刻修正を開始する場合であるが、電子時計１は自動で定められた時刻に時刻修正を行う機能を有しており、以下、図１０を参照しながら、その自動時刻修正処理について説明する。
【００８６】
図１０に示すように、自動時刻修正処理では、制御部７０は、常時、分キャリー（５９秒から００秒への移行）の有無を判断している（ステップＳ１０１）。
【００８７】
そして、分キャリーが有りと判断した場合、制御部７０は、自動時刻修正モードが自動（時差データ自動変更モード）又は、固定（時差データ固定モード）のいずれであるかを判断する（ステップＳ１０２）。
【００８８】
ここで、自動時刻修正モードが自動であると判断した場合、制御部７０は、現在の時刻が自動時刻修正を行う設定時刻（例えば、５：０２，１１：０２，１７：０２，２３：０２）であるか否かを判断し（ステップＳ１０３）、該判断結果がＮＯの場合は、処理を終了する。
【００８９】
一方、現在の時刻が自動時刻修正を行う設定時刻であると判断した場合、制御部７０は、先に説明した図７に示すＢＬＥ時刻修正処理２を実行した後（ステップＳ１０４）、受信結果（時刻修正結果）を判断し（ステップＳ１０５）、該判断結果が成功の場合は、処理を終了する。
【００９０】
受信結果が失敗である場合、制御部７０は、先に説明した図９に示すＧＰＳ時刻修正処理２を実行するが（ステップＳ１０８）、電子時計１が室内にあるときは、ＧＰＳ電波を受信できない可能性が高いため、電子時計１が室内にある可能性が高い設定時刻（例えば、２３：０２）を除外して、再び現在の時刻が自動時刻修正を行う設定時刻（例えば、５：０２，１１：０２，１７：０２）であるか否かを判断するとともに（ステップＳ１０６）、さらに、明暗判定（電源用太陽電池の発電電圧検出等）を行い（ステップＳ１０７）、ステップＳ１０６の判断結果がＹＥＳで、且つステップＳ１０７の判断結果が明るい場合にのみＧＰＳ時刻修正処理２を実行し、それ以外の場合は、処理を終了する。
これにより、ＧＰＳ時刻修正処理２の無駄な実行を回避し、消費電力が抑制される。
【００９１】
一方、ステップＳ１０２において自動時刻修正モードが固定であると判断した場合、制御部７０は、現在の時刻が自動時刻修正を行う設定時刻（例えば、５：０２，１１：０２，１７：０２，２３：０２）であるか否かを判断し（ステップＳ１０９）、該判断結果がＮＯの場合は、処理を終了する。
【００９２】
現在の時刻が自動時刻修正を行う設定時刻であると判断した場合、制御部７０は、今日の受信結果（時刻修正結果）を判断し（ステップＳ１１０）、該判断結果が成功の場合は、処理を終了する。
【００９３】
つまり、時差データの変更を伴う自動モードでは、時差が生じる場所への移動時刻が不明であるため、１日に複数回の時刻修正処理を実行するが、時差データの変更を伴わない固定モードでは、１日に１回の時刻修正処理で十分であるため、１日における複数回の時刻修正処理を回避し、消費電力を抑制している。
【００９４】
一方、ステップＳ１１０の判断結果が失敗の場合、制御部７０は、先に説明した図６に示すＢＬＥ時刻修正処理１を実行した後（ステップＳ１１１）、受信結果を判断し（ステップＳ１１２）、該判断結果が成功の場合は、処理を終了する。
【００９５】
受信結果が失敗である場合、制御部７０は、先に説明した図８に示すＧＰＳ時刻修正処理１を実行するが（ステップＳ１１５）、ここでも先ほどと同様に、電子時計１が室内にあるときは、ＧＰＳ電波を受信できない可能性が高いため、電子時計１が室内にある可能性が高い設定時刻（例えば、２３：０２）を除外して、再び現在の時刻が自動時刻修正を行う設定時刻（例えば、５：０２，１１：０２，１７：０２）であるか否かを判断するとともに（ステップＳ１１３）、明暗判定（電源用太陽電池の発電電圧検出等）を行い（ステップＳ１１４）、ステップＳ１１３の判断結果がＹＥＳで、且つステップＳ１１４の判断結果が明るい場合にのみＧＰＳ時刻修正処理１を実行し、それ以外の場合は、処理を終了する。
これにより、先ほどと同様に、ＧＰＳ時刻修正処理１の無駄な実行を回避し、消費電力が抑制される。
【００９６】
以上、具体的な実施形態に基づき、本発明の電子時計１について説明してきたが、本発明は、上記の具体的な実施形態に限定されるものではなく、本発明の技術的範囲には、本発明の目的が達成される範囲での様々な変形や改良などが含まれるものであり、そのことは当業者にとって特許請求の範囲の記載から明らかである。
【００９７】
以下に、この出願の願書に最初に添付した特許請求の範囲に記載した発明を付記する。付記に記載した請求項の項番は、この出願の願書に最初に添付した特許請求の範囲のとおりである。
＜請求項１＞
時刻を計時する計時手段と、
入力を受け付ける入力手段と、
前記入力手段が入力を受け付けている時間を計測する計測手段と、
前記計測手段の計測結果に基づいて自装置に設定されている時差データを変更するか否かを決定する制御手段と、
前記時差データに基づいて前記計時手段が計時する時刻を修正する時刻修正手段と、を備えることを特徴とする電子時計。
＜請求項２＞
前記時刻修正手段は、前記計時手段が計時する時刻を異なる処理手順を用いて修正する複数の時刻修正モードを備え、
前記計測手段の計測結果を複数の閾値と比較し、該比較結果に基づいて、前記複数の時刻修正モードの中から適用する時刻修正モードを選択することを特徴とする請求項１に記載の電子時計。
＜請求項３＞
前記複数の時刻修正モードは、少なくとも第１時刻修正モード及び第２時刻修正モードを含み、
前記時刻修正手段は、
前記第１時刻修正モードのとき、前記電子時計に設定されている前記時差データを変更することなく、外部から取得した時刻修正用データに基づいて、前記計時手段が計時する時刻を修正し、
前記第２時刻修正モードのとき、外部から取得した時刻修正用データに基づいて、前記電子時計に設定されている前記時差データを変更するとともに、前記計時手段が計時する時刻を修正することを特徴とする請求項２に記載の電子時計。
＜請求項４＞
前記電子時計に設定されている前記時差データには、
標準時を基準とする時差情報と、
所定の日付期間に適用されるサマータイム情報と、が含まれることを特徴とする請求項３に記載の電子時計。
＜請求項５＞
前記時刻修正用データは、ＧＰＳ衛星が送信するＧＰＳ信号であり、
前記時刻修正手段は、
前記第１時刻修正モードのとき、前記電子時計に設定されている前記時差データを変更することなく、前記ＧＰＳ衛星から受信したＧＰＳ信号に含まれる時刻データに基づいて、前記計時手段が計時する時刻を修正し、
前記第２時刻修正モードのとき、前記ＧＰＳ衛星から受信したＧＰＳ信号に含まれる位置データに基づいて、前記電子時計に設定されている前記時差データを変更するとともに、前記ＧＰＳ衛星から受信したＧＰＳ信号に含まれる時刻データに基づいて、前記計時手段が計時する時刻を修正することを特徴とする請求項３又は請求項４に記載の電子時計。
＜請求項６＞
前記時刻修正用データは、携帯端末が保有する時刻データ及び時差データであり、
前記時刻修正手段は、
前記第１時刻修正モードのとき、前記電子時計に設定されている前記時差データを変更することなく、前記携帯端末から取得した時刻データ及び時差データに基づいて、前記計時手段が計時する時刻を修正し、
前記第２時刻修正モードのとき、前記携帯端末から取得した時差データに基づいて、前記電子時計に設定されている前記時差データを変更するとともに、前記携帯端末から取得した時刻データに基づいて、前記計時手段が計時する時刻を修正することを特徴とする請求項３から請求項５のいずれか１項に記載の電子時計。
＜請求項７＞
前記時刻修正手段は、まず、前記携帯端末から時刻データ及び時差データの取得を試み、該取得に失敗した場合に前記ＧＰＳ衛星からＧＰＳ信号を受信することを特徴とする請求項６に記載の電子時計。
＜請求項８＞
電子時計における時刻修正方法であって、
時刻を計時する計時工程と、
入力を受け付ける入力工程と、
前記入力手段が入力を受け付けている時間を計測する計測工程と、
前記計測手段の計測結果に基づいて自装置に設定されている時差データを変更するか否かを決定する制御工程と、
前記時差データに基づいて前記計時手段が計時する時刻を修正する時刻修正工程と、を含む時刻修正方法。
＜請求項９＞
時刻を計時する計時手段と、入力を受け付ける入力手段と、前記入力手段が入力を受け付けている時間を計測する計測手段とを備えたコンピュータを、
前記計測手段の計測結果に基づいて自装置に設定されている時差データを変更するか否かを決定する制御手段、
前記時差データに基づいて前記計時手段が計時する時刻を修正する時刻修正手段、として機能させるためのプログラム。
【符号の説明】
【００９８】
１  電子時計
２  ＧＰＳ衛星
３  スマートフォン
２０  計時回路
３０  ＧＰＳ受信部
３１  ＧＰＳモジュール
３２  ＵＡＲＴ
４０  近距離無線通信部
４１  ブルートゥースモジュール
４２  ＵＡＲＴ
５０  日付時刻表示部
５１  秒針
５２  分針
５３  時針
５４  日車
５５  輪列
５６  モータ
５７  ドライバ
６０  音出力部
６１  ピエゾ
６２  ドライバ
７０  制御部
７１  ＣＰＵ
７２  ＲＯＭ
７３  ＲＡＭ
７４  記憶部
８０  バス
Ｓ１〜Ｓ４  キースイッチ
【図１】
2019007894.tif 000003
【図２】
2019007894.tif 000004
【図３】
2019007894.tif 000005
【図４】
2019007894.tif 000006
【図５】
2019007894.tif 000007
【図６】
2019007894.tif 000008
【図７】
2019007894.tif 000009
【図８】
2019007894.tif 000010
【図９】
2019007894.tif 000011
【図１０】
2019007894.tif 000012